(57)【要約】      （修正有）【課題】ユーザーのどんな目標やどんな日課にも対応できる目標または日課の登録・確認・課金システムを提供する。【解決手段】目標もしくは日課をインターネットを介してシステムサーバーに登録でき、さらにそれが実行された時の報酬データ、もしくはされなかった時の罰金も登録できるシステム。かつ、登録した目標または日課が達成されているかどうかを確認するメールを配信し、ユーザーが目標または課題の実行状況を登録させることができ、さらにあらかじめ登録してある報酬データの提供、または罰金が課せられる事をユーザー確認し、了承されることでそれを実行することが出来るシステムとする。これにより、目標または日課をこなす事またはこなさない事で具体的な報酬または罰則が得られ、目標または日課をするべき環境が出来る。【選択図】図１
2011034544.tif 000002
【特許請求の範囲】
【請求項１】
ユーザー側の情報処理端末からネットワークを介して、前記ユーザーが入力した罰金金額もしくは報酬データを記録するための記憶手段を備え、前記ユーザー側に入力された罰金を課すこと、もしくは報酬データを提供することとそれを表示することが可能な目標達成支援システム。
【請求項２】
前記目標達成支援システムは、登録されたユーザーに対してメールを配信できる通信手段を備え、配信したメールとウェブサイトによって目標もしくは日課の実行の有無を確認できる確認手段をもち、それに応じて前記ユーザーがあらかじめ登録した報酬データの受け渡しができる通信手段を備え、前記ユーザーが登録した罰金を課す事が出来る金額授受手段を兼ね備えた目標達成支援システム。
【発明の詳細な説明】
【技術分野】
【０００１】  この発明は目標や日々行う日課（例：歯磨き、英語の勉強、筋肉トレーニング、研修の実行、営業目標の実行、ノルマの履行等）の実行を、ネットワークシステムを利用して確認すると同時に報酬データの受け渡しや罰金を課す目標達成を支援するシステムである。
【背景技術】
【０００２】  従来、どんな日課やどんな目標にでも強制力を持たせて、それらを実行させるシステムがなかった。【０００３】  例えば、特許文献１には、目標支援システムの発明が開示されている。この特許はユーザーに目標を達成させるための課題を提供し、ユーザーからのウェブサイトへの書き込みをもって課題達成を判断する。そして、課題達成状況に応じて表彰を行い、メールやウェブサイトの広告益の一部を報酬として支払うものである。
また、特許文献２には、同じく目標達成支援システムの発明が開示されている。この特許はユーザーが成績や学習時間などを入力することで、他のユーザーとの比較をし、モチベーションの向上に繋げるものである。
また、特許文献３には、同じく目標達成支援システムの発明が開示されている。この特許はユーザーから掛け金を集め、課題が達成されたという連絡をもって、保険金として掛け金を返却するものである。
また、特許文献４には、同じく目標達成支援システムの発明が開示されている。この特許はあらかじめペナルティ代を徴収しておき、課題が達成されたという連絡をもって、返金する。課題達成の確認方法はユーザーとは別に管理者をユーザーが用意し、管理者だけが持つ時限式パスワードをサーバーに連絡することで確認としている。
また、特許文献５には、自己管理支援システムの発明が開示されている。この特許は、目標達成を目指すグループをインターネットを介してリアルタイムで連絡を取り合えるようにし、他者から賞賛や励ましを得るシステムである。【０００４】
【特許文献１】特開２００３−００６３２６
【特許文献２】特開２００４−１２６７２２
【特許文献３】特開２００２−１８３４６２
【特許文献４】特開２００８−２１０１５７
【特許文献５】特開２００３−３３１１１９
【発明の開示】
【発明が解決しようとする課題】
【０００５】  特許文献１のシステムはユーザーの目標ごとに課題を作り、提供する必要がある。そのため全てのユーザー個々人が望んだ目標のサービスを提供することは不可能である。また、目標ごとにユーザーが分けられるために一つのサイトに対するユーザー数が少なくなる。そのため、広告価値が低くなり、広告益が少なくなる。システムを維持出来ず、事業として成り立たない可能性がある。さらに、わずかな広告益の一部ではユーザーのやる気を喚起するには心許ない。
また、特許文献２のような、現状の状況を解析する自己管理支援だけでは、モチベーションを維持することは難しい。また、このシステムでは学習目標にしか利用できない。
また、特許文献３のような企業側に確認が必要となるシステムでは、目標達成基準が不明瞭となりやすく、ユーザーに金額が正当に返却されるのかという不安を与えかねない。また、企業側に目標達成の判定を仰ぐ手間がかかり、ユーザーに負担をかけることになる。また、ユーザーからあらかじめ掛け金を徴収しているので、それが返金されたとしても喜びは少ない。
また、特許文献４のシステムはユーザーの他に管理者も用意する必要があり、ユーザーに負担を強いている。また、ユーザーからあらかじめペナルティ代を徴収しているので、それが返金されたとしても喜びは少ない。
また、特許文献５のようなユーザー同士の相互互助によるシステムではユーザーＡとユーザーＢの関係性や人間性によって実施効果が変わってしまう。いつも良い効果を得られるとは限らない。下手をすれば、落伍者の集まりにもなりかねない。
これらの５つの既存出願文献は、本発明が目的とする目標達成システムとは目的を異にする【０００６】  本発明はユーザーが目標または日課を行おうと思った時に誰の助けも借りることなく一人で遂行でき、目標または日課の達成確認の度にモチベーションを高めることができ、ユーザーのどんな目標やどんな日課にも対応できる目標または日課の登録・確認・課金システム、目標または日課の登録プログラム、目標または日課の確認プログラム、目標または日課の課金プログラムとサーバーと当該プログラムを記録したコンピューター読み取り可能な記録媒体を提供する事を目的とする。
【課題を解決するための手段】
【０００７】  上記目的を達成するために、本発明による目標達成支援システムは、入力部を有する情報処理装置を具備し、ユーザーのメールアドレス、パスワード、実行確認方法、実行確認時間、実行確認間隔、目標または日課を実行した際の報酬データ、もしくは実行しなかった際の罰金金額、罰金支払い方法を基礎データとして記録されることを特徴とする。【０００８】  本発明による目標達成支援システムは、入力部を有する情報処理装置が、インターネット通信回線に接続されるから、多数のユーザーが自身の情報端末から、どんな地域からでもアクセスし、また登録を行うことができ、目標または日課を確認することが出来る使用上きわめて便利なシステムとなる。【０００９】  本発明による目標達成支援システムは、記録されたメールアドレス、実行確認方法、実行確認時間、実行確認間隔に従って、目標または日課の実行を確認するメールを配信するシステムを特徴とする。【００１０】  また、配信されたメールに記されたＵＲＬのリンクからウェブサイトで目標または日課の実行の有無を登録することができ、記録することを特徴とする。【００１１】  また、記録された目標または日課の実行の有無によって、即座に報酬データの提供または罰金を課すことを、インターネットを通じて行うことが出来るシステムを特徴とする。
【発明の効果】
【００１２】  本発明によれば、ユーザーは望み通りの罰金、もしくは報酬データを設定出来るため、利用者に課題または日課をすることの強制力を強めることができ、目標や日課を行うモチベーションを高めることができる。
また、本発明は目標または日課を行ったかどうかの確認をするだけなので、どんな目標または日課であっても利用することが可能である。
さらに、本発明はユーザーが一人だけでも始める事が出来、誰かの助けを借りることなくできるため、気軽に利用することが可能である。
会社の営業ノルマを従業員に守らせるためのシステムとして利用することが出来るため、組織の目標達成支援としても活用できる。もしくは個人が独自に到達したい目標を自分に課す事もできる。
【発明を実施するための最良の形態】
【００１３】  図１で示すように、情報処理装置であるシステムサーバー１はユーザーの情報処理装置２とインターネット６を介して接続可能である。なお、情報処理装置とはパソコンやサーバー、携帯電話などを指し、パソコンとサーバーについてはパソコン本体、キーボードやマウスなどの入力部、表示部としてのディスプレイ、ＲＡＭなどのメモリおよびハードディスク等を含んだ概念である。【００１４】  図１のシステムサーバー１は目標達成支援システムを提供するためのウェブサイトを提供し、多数の個人名を登録し、登録者として記憶し、かつその者の個人情報を記録する。システムサーバー１が提供する目標達成支援システムを構築するためのウェブサイトはインターネット上のアドレスを持っている。【００１５】  一方、登録者となる各ユーザーが所有する情報処理装置２は、そのハードディスク等の記憶装置にインターネット６と接続するためのブラウザを格納しており、このブラウザを起動し、アドレスを指定することでシステムサーバー１が提供する目標達成支援システムと接続可能となる。【００１６】  インターネットを介してシステムサーバー１にユーザーの情報処理装置２の入力部から登録情報を入力することができ、また、必要な情報のキーワードなどを入力し、情報を検索することが出来る。これらの登録情報や検索情報はユーザーの情報処理装置２のディスプレイに表示することが出来る。【００１７】  次に、図１の目標達成支援システムの使用について図１〜図７を参照して説明する。図２は本発明よる実施の形態の目標達成支援システムにより行われるユーザーとシステム間のデータと金銭の授受を概念的に示した図であり、図３は本発明よる実施の形態の目標達成支援システムにより行われるユーザーとシステムサーバーの作業の流れを表したフローチャート図であり、図４は図１のサーバーが提供する目標達成支援システムのウェブサイトのトップページ画面例を示す図であり、図５はユーザーが新規登録時に必要項目を入力するウェブページ画面例を示す図であり、図６はユーザーが目標または日課の実行結果を伝えるウェブページ画面例またはメール画面例を示す図であり、図７はユーザーが図６で確認した内容を再度確認するとともに罰金の発生を承認するウェブページ画面例を示す図である。【００１８】  最初に、図１の目標達成支援システムにおいて新規に登録者を登録する場合において図４及び図５により説明する。【００１９】  新規登録者が登録する場合には、登録を希望するユーザーの情報処理装置２のブラウザを起動し、目標達成支援システムのウェブサイトのアドレスを指定し、インターネット６を介してシステムサーバー１に接続すると、システムサーバー１からのデータ受信により図４のような目標達成支援システムの画面のトップページ画面５０がユーザーの情報処理装置２のディスプレイに表示される。そして、この画面５０の新規登録ボタン５４をクリックすると、その信号がシステムサーバー１に送信され、次にシステムサーバー１からのデータ受信により図５のような新規登録のウェブページ６０が表示される。
図５の画面５０にしたがって、新規登録者の名前６１、メールアドレス６２、パスワード６３、目標または日課６４を欄内入力し、確認間隔６５、確認時間６６、罰金もしくは報酬データの選択６７、支払い方法６８をそれぞれの選択肢リストから選択する。書くデータを確認してから、図５の登録ボタン６９をクリックすると、各入力データがインターネット６を介してシステムサーバー１に送信される。【００２０】  次に、目標または日課の確認と、罰金の支払いについて図３、図６、図７により説明する。
例えば図１においてシステムサーバー１より、登録者の情報処理装置２に目標または日課を実行したかどうか入力するよう催促するメールをあらかじめ登録された確認間隔と確認時間に応じて配信し、そのメールに図４の目標達成支援システムのウェブサイトのトップページのアドレスを表示し、登録者がそれをクリックすることで情報処理装置２のブラウザを起動し、インターネット６を介してシステムサーバー１と接続する。そして、図４の目標達成支援システムのウェブサイトトップページ画面５０を表示し、情報処理装置２の入力部から、自身のメールアドレスを欄５１に、及びパスワードを欄５２に入力し、ログインボタン５３をクリックする。この入力情報がシステムサーバー１に送信され、記録されている登録者のメールアドレスとパスワードとの一致を確認したら、システムサーバー１は情報処理装置２にデータを送信し、図６のようなウェブページの目標確認画面７０を表示する。【００２１】  図６の目標確認ページ画面７０には、あらかじめ登録した目標もしくは日課が表示される。登録者がそれを視認し、それを実行した場合は肯定ボタン７１をクリックし、実行しなかった場合は否定ボタン７２をクリックする。登録者が実行結果による賞罰に罰金を指定している場合、肯定はそれで、終了となる。否定された場合は図７の罰金確認ページ８０画面を表示する。
なお、登録者が実行結果による賞罰に報酬データを指定している場合、肯定されれば、報酬データの提供をシステムサーバー１より、インターネット６を介してユーザーの情報処理装置２に行う。否定された場合はそれで終了となる。
さらに、登録者が実行結果による賞罰に報酬データと罰金の両方を指定することも可能である。【００２２】  図７の罰金確認ページ８０画面には、あらかじめ登録した罰金の金額が表示される。登録者がそれを視認し、罰金がかかることを了承するかどうかを肯定ボタン８１か、否定ボタン８２をクリックすることで示す。肯定ボタン８１がクリックされた場合はあらかじめ登録されている支払い方法に応じて罰金が掛けられる。否定ボタン８２がクリックされた場合は罰金は掛けられることなく終了となる。【００２３】  図３はこれまで説明したユーザーとシステムサーバーが行う作業の流れを表したフローチャート図である。【００２４】  なお、以上を説明した本発明にかかる目標達成支援方法を実現するためのコンピュータープログラムを記録した情報処理装置が読み取り可能な記録媒体を用いれば、システムサーバー１以外の図示しない情報処理装置をシステムサーバー１と同様に機能させることが出来る。すなわち、システムサーバー１で動作する本発明にかかる目標達成支援方法を実現するコンピュータープログラムをＣＤ−ＲＯＭなどの情報処理装置が読み取り可能な記録媒体に記録しておき、図示しない情報処理装置に当該記録媒体に記録されたコンピュータープログラムを読み取らせて実行させることで、当該情報処理装置をシステムサーバー１と同様に機能させることが出来る。【００２５】  以上のように本発明を実施の形態により説明したが、本発明はこれらに限定されるものではなく、本発明の技術的思想の範囲内で各種の変形が可能である。例えば、本実施形態ではユーザーの情報処理装置２とシステムサーバー１とをインターネット６を介して接続するようにしたが、サーバーと複数の情報処理装置とをＬＡＮなどの専用回線で接続するようにしてもよい。また図示したウェブサイトの画面は一例であって、他の別の形態があることは勿論である。
【実施例】
【００２６】  目標または日課は何でも構わない。例えば、英語の番組を３０分見る、数学の勉強をする、読書をする等の学習日課や、歯磨きをする、夜８時までに寝る、ご飯は残さず食べるなどの子供向け生活習慣日課や、３ヶ月後に起業する、１年後に体重を５キログラム減らすなどの中長期的な目標や、販売数１位を取る、報告・連絡・相談を怠らない、指さし確認をするなどの仕事上の目標や、帰ったら子供と５分話す、怒りを露わにしない、初対面の人とよく話すなどの人間関係上の目標や日課などに利用できる。【００２７】  提供する報酬データはシステムサーバー１からユーザーの情報処理装置２に提供できるデータであれば何でも構わない。例えば、音声や動画、画像、ゲームプログラムなどで激励するものや所有欲を満たすものなどによって、登録者の目標または日課達成のモチベーションを高める。具体的にはアイドルや俳優の写真、応援メッセージ（画像、音声）、キャラクターのイラスト、ユーザー自身の子供や孫、恋人、友人、上司からの応援メッセージ（画像、音声）など。
【産業上の利用可能性】
【００２８】  本発明は、個人ユーザーの目標または日課を実行するために、彼らの環境を変えるという画期的な発明であり、これまで、自身が望んでいた目標または日課に挫折してしまった多くのユーザーがそれを実行できるようになる。
また、これまで目標達成にはユーザーの個人的な意思の力に依存するところが大きかったが、本発明を利用すれば意思の力だけに頼ることなく目標達成が出来るようになる。
また、目標達成を支援するセミナーや研修は多数あるが、本発明は時間的制約や空間的制約を受けずに目標達成の強制力を高めることが出来る。
また、本発明はユーザー個人の目標支援のみならず、企業などの従業員への目標達成支援にも利用することができ、組織の目標達成支援にも活用できる。
【図面の簡単な説明】
【００２９】
【図１】  本発明よる実施の形態の目標達成支援システムをインターネットにより構築した例を示す概念図である。
【図２】  本発明よる実施の形態の目標達成支援システムにより行われるユーザーとシステム間のデータの受け渡しと金銭の授受を概念的に示した図である。
【図３】  本発明よる実施の形態の目標達成支援システムにより行われるユーザーとシステムサーバーの作業の流れを表したフローチャート図である。
【図４】  図１のサーバーが提供する目標達成支援システムのウェブサイトのトップページ画面例を示す図である。
【図５】  ユーザーが新規登録時に必要項目を入力するウェブページ画面例を示す図である。
【図６】  ユーザーが目標または日課の実行結果を伝えるウェブページ画面例またはメール画面例を示す図である。
【図７】  ユーザーが図６で確認した内容を再度確認するとともに罰金の発生を承認するウェブページ画面例を示す図である。
【符号の説明】
【００３０】１      課題や日課の実行有無によって報酬や罰金を課すシステムサーバー
２      ユーザーとユーザーの情報処理装置
３      クレジットカード会社
４      銀行口座会社
５      システム運営会社
６      インターネット
７      報酬データ
８      罰金
１１    メール・Ｗｅｂサーバー
１２    メール管理システム
１３    報酬・罰金管理システム
２１    日課ＤＢ
２２    報酬・罰金ＤＢ
２３    パスワードＤＢ
２４    クレジットカード・銀行口座ＤＢ
５０    目標達成支援システムのウェブサイトのトップページ画面
５１    メールアドレス入力欄
５２    パスワード入力欄
５３    ログインボタン
５４    新規登録ボタン
６０    目標達成支援システムのウェブサイトの新規登録ページ画面
６１    名前入力欄
６２    メールアドレス入力欄
６３    パスワード入力欄
６４    目標もしくは日課入力欄
６５    確認間隔選択リスト
６６    確認時間選択リスト
６７    罰金の金額もしくは報酬データの種類選択欄
６８    支払い方法指定欄
６９    登録ボタン
７０    目標達成システムのウェブサイトの目標確認ページもしくは配信メール画面
７１    肯定回答ボタン
７２    否定回答ボタン
８１    肯定回答ボタン
８２    否定回答ボタン
８０    目標達成システムのウェブサイトの罰金確認ページ画面
【図１】
2011034544.tif 000003
【図２】
2011034544.tif 000004
【図３】
2011034544.tif 000005
【図４】
2011034544.tif 000006
【図５】
2011034544.tif 000007
【図６】
2011034544.tif 000008
【図７】
2011034544.tif 000009